(57)【要約】【課題】主に、電気接続箱の取外時に、電気接続箱が同時に分解されるようにする。【解決手段】電気接続箱１２が、取付土台部１１に当接配設されて回路基板２１を収容保持可能なケース本体２２と、蓋体２４とを備え、蓋体２４が、ハーネス１３に取付けられたクリップ部材１４に対する係止穴２６と、別のクリップ部材１５によって取付土台部１１へ取付可能な蓋側取付片２７とを備え、ケース本体２２が、更に別のクリップ部材１６によって取付土台部１１へ取付可能な本体側取付片２８を備え、ケース本体２２の外側部に外方突起部３２が設けられ、蓋体２４にケース固定用爪片３３が突設され、取付土台部１１にケース固定用爪片３３の退避を拘束可能な爪固定用突起部３５が突設され、ケース本体２２の内部に、基板下部支持部４１と基板固定用爪片４２とが突設され、蓋体２４の内部に、基板固定用爪片４２の退避を規制可能な爪ストッパ４４が突設されるようにしている。【選択図】図１
2008301602.tif 000002
【特許請求の範囲】
【請求項１】
取付土台部に、電気接続箱を配置し、該電気接続箱を、取付土台部に沿って配索されたハーネスで押えると共に、ハーネスに取付けられた複数のクリップ部材で係止固定する電気接続箱の分解可能取付構造であって、
電気接続箱が、取付土台部に当接配設されて回路基板を収容保持可能なケース本体と、ケース本体の取付土台部とは反対側に設けられた開口部に対して着脱自在に嵌合される蓋体とを備え、
蓋体が、少なくともその中間部に、前記クリップ部材に対する係止穴を備えると共に、蓋体が、その一端部のみに、別の前記クリップ部材によって取付土台部へ取付可能な蓋側取付片を備え、ケース本体が、その他端部のみに、更に別の前記クリップ部材によって取付土台部へ取付可能な本体側取付片を備え、
ケース本体の外側部に、爪穴部を有する外方突起部が設けられ、蓋体に、爪穴部へ挿入係止可能なケース固定用爪片が突設され、爪穴部とケース固定用爪片との間に、ケース固定用爪片が係止保持状態を解除する方向へ退避可能な爪片退避用間隙部が形成され、取付土台部に、爪片退避用間隙部へ差込まれることにより、ケース固定用爪片の退避を拘束可能な爪固定用突起部が突設され、
ケース本体の内部に、回路基板の下部を支持可能な基板下部支持部が設けられ、ケース本体の内部に、回路基板の上側部を係止保持可能な基板固定用爪片が突設され、ケース本体と基板固定用爪片との間に、基板固定用爪片が係止保持状態を解除する方向へ退避可能な爪片退避用空間が形成され、蓋体の内部に、爪片退避用空間へ差込まれることにより、基板固定用爪片の退避を規制可能な爪ストッパが突設されたことを特徴とする電気接続箱の分解可能取付構造。
【発明の詳細な説明】
【技術分野】
【０００１】
この発明は、電気接続箱の分解可能取付構造に関するものである。
【背景技術】
【０００２】
自動車などの車両には、多数の電気接続箱が取付けられている。このような電気接続箱には、車体に対して容易に取外すことができるように取付けられたものが存在している（例えば、特許文献１参照）。
【０００３】
この文献に記載された電気接続箱の取外可能取付構造では、図１２、図１３に示すように、取付土台部１に対して電気接続箱２が配設される。そして、この電気接続箱２に設けられた複数のコネクタ３に対し、複数本のハーネス４の先端に取付けられたコネクタ部５がそれぞれ結合される。更に、各ハーネス４に取付けられたクリップ部材６を用いて、電気接続箱２の両端部に設けられた複数の取付片７が取付土台部１に設けられた係止孔８へ固定される。
【０００４】
このような構成によれば、電気接続箱２の両端部に設けられた複数の取付片７と取付土台部１との間に、各ハーネス４に取付けられたクリップ部材６を挿入係止させることにより、電気接続箱２を取付土台部１に簡単且つ確実に固定することができる。
【０００５】
反対に、各ハーネス４を引張って、クリップ部材６を外すか或いはクリップ部材６を破壊することにより、電気接続箱２を取付土台部１から容易に取外すことができる。
【特許文献１】特許第３７０７３８７号
【発明の開示】
【発明が解決しようとする課題】
【０００６】
しかしながら、上記特許文献１に記載された電気接続箱の取外可能取付構造では、取付土台部１からの取外時に、電気接続箱２自体を分解させることができなかったので、取外した電気接続箱２に対して、後工程で分解する作業が必要となり、その分、工程数が増えると共に、分解作業に時間や手間を要するという問題があった。
【課題を解決するための手段】
【０００７】
上記課題を解決するために、請求項１に記載された発明では、取付土台部に、電気接続箱を配置し、該電気接続箱を、取付土台部に沿って配索されたハーネスで押えると共に、ハーネスに取付けられた複数のクリップ部材で係止固定する電気接続箱の分解可能取付構造であって、電気接続箱が、取付土台部に当接配設されて回路基板を収容保持可能なケース本体と、ケース本体の取付土台部とは反対側に設けられた開口部に対して着脱自在に嵌合される蓋体とを備え、蓋体が、少なくともその中間部に、前記クリップ部材に対する係止穴を備えると共に、蓋体が、その一端部のみに、別の前記クリップ部材によって取付土台部へ取付可能な蓋側取付片を備え、ケース本体が、その他端部のみに、更に別の前記クリップ部材によって取付土台部へ取付可能な本体側取付片を備え、ケース本体の外側部に、爪穴部を有する外方突起部が設けられ、蓋体に、爪穴部へ挿入係止可能なケース固定用爪片が突設され、爪穴部とケース固定用爪片との間に、ケース固定用爪片が係止保持状態を解除する方向へ退避可能な爪片退避用間隙部が形成され、取付土台部に、爪片退避用間隙部へ差込まれることにより、ケース固定用爪片の退避を拘束可能な爪固定用突起部が突設され、ケース本体の内部に、回路基板の下部を支持可能な基板下部支持部が設けられ、ケース本体の内部に、回路基板の上側部を係止保持可能な基板固定用爪片が突設され、ケース本体と基板固定用爪片との間に、基板固定用爪片が係止保持状態を解除する方向へ退避可能な爪片退避用空間が形成され、蓋体の内部に、爪片退避用空間へ差込まれることにより、基板固定用爪片の退避を規制可能な爪ストッパが突設されたことを特徴としている。
【発明の効果】
【０００８】
請求項１の発明によれば、上記構成により、以下のような作用効果を得ることができる。即ち、取付土台部から電気接続箱を取外すことによって、同時に、電気接続箱を分解させることが可能となる。これにより、分解工程が不要となるため、工程数が削減されると共に、分解作業が不要となり、分解作業に要していた時間や手間を省略することができる。
【発明を実施するための最良の形態】
【０００９】
以下、本発明を具体化した実施例について、図示例と共に説明する。
【実施例】
【００１０】
図１〜図１０は、この発明の実施例を示すものである。
【００１１】
まず、構成について説明する。
【００１２】
自動車などの車両に対し、電気接続箱を、車体に対して容易に取外すことができるように取付ける。
【００１３】
即ち、図１、図２に示すように、取付土台部１１に、電気接続箱１２を配置する。そして、電気接続箱１２を、取付土台部１１に沿って配索されたハーネス１３で押えるようにする。更に、ハーネス１３に取付けられた複数のクリップ部材１４〜１６で係止固定するようにする。なお、取付土台部１１は、車体パネルやステアリングサポートメンバなどの車体強度部材などとすることができる。クリップ部材１４〜１６は、クリップ部とバンド部とを一体に有すると共に、バンド部によってハーネス１３に結着し得るようなものとされている。
【００１４】
より具体的には、電気接続箱１２は、少なくとも、取付土台部１１に当接配設されて回路基板２１を収容保持可能なケース本体２２（或いは、ロワケース）と、ケース本体２２の取付土台部１１とは反対側に設けられた開口部２３に対して着脱自在に嵌合される蓋体２４（或いは、アッパケース）とを備えている。
【００１５】
そして、蓋体２４は、少なくともその中間部に、クリップ部材１４に対する係止穴２６を備えている。また、蓋体２４は、その一端部のみに、別のクリップ部材１５によって取付土台部１１へ取付可能な蓋側取付片２７を備えている。更に、ケース本体２２は、その他端部のみに、更に別のクリップ部材１６によって取付土台部１１へ取付可能な本体側取付片２８を備えている。蓋側取付片２７は、蓋体２４を単独で取付土台部１１に取付けるようにするものである。本体側取付片２８は、ケース本体２２を単独で取付土台部１１に取付けるようにするものである。
【００１６】
また、ケース本体２２の外側部には、爪穴部３１を有する外方突起部３２が設けられている。また、蓋体２４には、爪穴部３１へ挿入係止可能なケース固定用爪片３３が突設されている。そして、爪穴部３１とケース固定用爪片３３との間には、ケース固定用爪片３３が係止保持状態を解除する方向へ退避可能な爪片退避用間隙部３４が形成されている。更に、取付土台部１１には、爪片退避用間隙部３４へ差込まれることにより、ケース固定用爪片３３の退避を拘束可能な爪固定用突起部３５が突設されている。これらにより、外側分解可能取付構造部３６が構成されている。
【００１７】
この場合、外方突起部３２は、平面視ほぼコ字状などを呈している。ケース固定用爪片３３は、取付土台部１１とほぼ面直な方向、或いは、ケース本体２２に対する蓋体２４の着脱方向に向けて延設されている。爪固定用突起部３５は、取付土台部１１に設けられた切起片などとされている。爪固定用突起部３５は、その先端を尖らせるようにしても良い。ケース固定用爪片３３と爪固定用突起部３５とは、ほぼ平行に設けられている。
【００１８】
上記とは別に、ケース本体２２の内部には、回路基板２１の下部を支持可能な基板下部支持部４１が設けられている。また、ケース本体２２の内部には、回路基板２１の上側部を係止保持可能な基板固定用爪片４２が突設されている。そして、ケース本体２２と基板固定用爪片４２との間に、基板固定用爪片４２が係止保持状態を解除する方向へ退避可能な爪片退避用空間４３が形成され、蓋体２４の内部に、爪片退避用空間４３へ差込まれることにより、基板固定用爪片４２の退避を規制可能な爪ストッパ４４が突設されている。これらにより、内側分解可能取付構造部４６が構成されている。
【００１９】
この場合、基板固定用爪片４２および爪ストッパ４４とは、ケース固定用爪片３３および爪固定用突起部３５と、ほぼ平行に設けられている。
【００２０】
外側分解可能取付構造部３６と内側分解可能取付構造部４６とは、ほぼ同じ位置に設けられている。この場合には、これらは、電気接続箱１２の両側部における、各コーナー部分の近傍に対して、４箇所設けられている。
【００２１】
次に、この実施例の作用について説明する。
【００２２】
電気接続箱１２を取付土台部１１に取付ける場合、先ず、以下のようにして電気接続箱１２を組立てる。
【００２３】
ケース本体２２の内部に回路基板２１を収容して、回路基板２１の下部を基板下部支持部４１で支持させると共に、回路基板２１の上側部を基板固定用爪片４２で係止させる。
【００２４】
次に、ケース本体２２の取付土台部１１とは反対側に設けられた開口部２３に対して蓋体２４を嵌着する。
【００２５】
この時、蓋体２４の内部に突設された爪ストッパ４４が、ケース本体２２と基板固定用爪片４２との間に形成された爪片退避用空間４３へ差込まれることにより、基板固定用爪片４２の退避が規制され、基板固定用爪片４２が係止状態にてロックされる。これにより、回路基板２１がケース本体２２に確実に保持される。
【００２６】
また、ケース本体２２の外側部に設けられた外方突起部３２の爪穴部３１に、蓋体２４から突設されたケース固定用爪片３３が挿入係止される。
【００２７】
このようにして、組立てられた電気接続箱１２を、取付土台部１１の所定の位置に当接配置する。
【００２８】
この時、取付土台部１１に突設された爪固定用突起部３５が、爪穴部３１とケース固定用爪片３３との間に形成された爪片退避用間隙部３４へ差込まれることにより、ケース固定用爪片３３の退避が拘束され、ケース固定用爪片３３が係止保持状態にてロックされる。これにより、ケース本体２２と蓋体２４とが確実に固定される。また、電気接続箱１２が、取付土台部１１に一部拘束された状態となる。
【００２９】
そして、電気接続箱１２を、取付土台部１１に沿って配索されたハーネス１３で上から押えるようにする。
【００３０】
この時、ハーネス１３に取付けられた複数のクリップ部材１４〜１６で係止固定を行う。即ち、蓋体２４の中間部に設けられた係止穴２６にクリップ部材１４を挿入係止すると共に、蓋体２４の一端部のみに設けられた蓋側取付片２７を、別のクリップ部材１５によって取付土台部１１へ取付け、且つ、ケース本体２２の他端部のみに設けられた本体側取付片２８を、更に別のクリップ部材１６によって取付土台部１１へ取付ける。
【００３１】
以上により、図１、図２に示すように、電気接続箱１２が取付土台部１１に確実に取付けられる。
【００３２】
そして、上記とは反対に、電気接続箱１２を取付土台部１１から取外す場合、図３、図４に示すように、ハーネス１３の一端側を上に引張って、例えば、蓋側取付片２７を取付土台部１１に取付けているクリップ部材１４を外すか或いはクリップ部材１４を破壊するようにする。
【００３３】
すると、電気接続箱１２の一端部と取付土台部１１との固定状態が解除されるので、電気接続箱１２の一端部が、取付土台部１１から僅かに浮いた状態となる。
【００３４】
そのまま、ハーネス１３を上に引張り続けると、ハーネス１３は、蓋体２４の中間部の係止穴２６とクリップ部材１４で繋がっているので、電気接続箱１２が、図５、図６に示すように、他端部の本体側取付片２８を中心として回動するように、斜めに持上げられる。
【００３５】
この時、取付土台部１１から突設された爪固定用突起部３５が、爪穴部３１とケース固定用爪片３３との間に形成された爪片退避用間隙部３４から引抜かれるため、ケース固定用爪片３３の退避が可能となり、ケース固定用爪片３３が係止保持状態を解除可能となる。これにより、ケース本体２２と蓋体２４との固定状態も解除可能となる。
【００３６】
更に、ハーネス１３の一端側を上に引張り続けると、電気接続箱１２の持上げ角度が大きくなるため、図７、図８に示すように、蓋体２４に対するケース本体２２や回路基板２１の自重などの影響が大きくなり、ケース本体２２と蓋体２４との固定状態が解除されて、ケース本体２２と蓋体２４とが分離される。
【００３７】
このように、ケース本体２２と蓋体２４とが分離されると、更に、蓋体２４の内部に突設された爪ストッパ４４が、ケース本体２２と基板固定用爪片４２との間に形成された爪片退避用空間４３から引抜かれるため、図９、図１０に示すように、基板固定用爪片４２の退避が可能となり、基板固定用爪片４２が係止状態を解除可能となる。これにより、ケース本体２２による回路基板２１の係止状態が解除されて、回路基板２１がケース本体２２から分離される。
【００３８】
更に、ハーネス１３を上に引張ると、最後に、本体側取付片２８を取付土台部１１に取付けているクリップ部材１６が外れるか或いはクリップ部材１６が破壊される。
【００３９】
すると、電気接続箱１２の他端部と取付土台部１１との固定状態が解除されるので、電気接続箱１２が、取付土台部１１から完全に取外される。
【００４０】
この時、回路基板２１とケース本体２２とは、取付土台部１１およびハーネス１３に対し、それぞれ単独状態となる。そして、蓋体２４のみが、クリップ部材１４によってハーネス１３に繋がっている状態になるので、蓋体２４を手などで引張ることにより、クリップ部材１４が外れるか或いはクリップ部材１４が破壊されるので、蓋体２４がハーネス１３から分離されることとなる。
【００４１】
以上により、電気接続箱１２は、完全に分解される。なお、ハーネス１３は、本体側取付片２８の側から外すようにしても良い。
尚、上記実施例では、ケース本体２２の内部の、回路基板２１の上側部を係止保持可能な基板固定用爪片４２は、ケース固定用爪片３３および爪固定用突起部３５とほぼ平行に形成し、回路基板２１をケース本体２２に挿入する時に基板固定用爪片４２を撓ませて（弾性変形させて）係合する構造になっているが、図１３に示すように、基板固定用爪片４２bをケース本体の外側へ傾斜させて形成し、回路基板２１をケース本体２２への組み付ける時に、基板固定用爪片４２を撓ませることなく回路基板２１を組み付け、その後、爪片退避用空間４３に蓋体２４側の爪ストッパ４４を差込む事により、基板固定用爪片４２bを回路基板側に倒し、係合状態にロックさせてもよい。
【００４２】
このように、この実施例によれば、取付土台部１１に、電気接続箱１２を配置し、電気接続箱１２を、取付土台部１１に沿って配索されたハーネス１３で押えると共に、ハーネス１３に取付けられた複数のクリップ部材１４〜１６で係止固定する電気接続箱の分解可能取付構造であって、電気接続箱１２が、取付土台部１１に当接配設されて回路基板２１を収容保持可能なケース本体２２と、ケース本体２２の取付土台部１１とは反対側に設けられた開口部２３に対して着脱自在に嵌合される蓋体２４とを備え、蓋体２４が、少なくともその中間部に、クリップ部材１４に対する係止穴２６を備えると共に、蓋体２４が、その一端部のみに、別のクリップ部材１５によって取付土台部１１へ取付可能な蓋側取付片２７を備え、ケース本体２２が、その他端部のみに、更に別のクリップ部材１６によって取付土台部１１へ取付可能な本体側取付片２８を備え、ケース本体２２の外側部に、爪穴部３１を有する外方突起部３２が設けられ、蓋体２４に、爪穴部３１へ挿入係止可能なケース固定用爪片３３が突設され、爪穴部３１とケース固定用爪片３３との間に、ケース固定用爪片３３が係止保持状態を解除する方向へ退避可能な爪片退避用間隙部３４が形成され、取付土台部１１に、爪片退避用間隙部３４へ差込まれることにより、ケース固定用爪片３３の退避を拘束可能な爪固定用突起部３５が突設され、ケース本体２２の内部に、回路基板２１の下部を支持可能な基板下部支持部４１が設けられ、ケース本体２２の内部に、回路基板２１の上側部を係止保持可能な基板固定用爪片４２が突設され、ケース本体２２と基板固定用爪片４２との間に、基板固定用爪片４２が係止保持状態を解除する方向へ退避可能な爪片退避用空間４３が形成され、蓋体２４の内部に、爪片退避用空間４３へ差込まれることにより、基板固定用爪片４２の退避を規制可能な爪ストッパ４４が突設されたことにより、以下のような作用効果を得ることができる。
【００４３】
即ち、取付土台部１１から電気接続箱１２を取外すことによって、同時に、電気接続箱１２を分解させることが可能となる。これにより、分解工程が不要となるため、工程数が削減されると共に、分解作業が不要となり、分解作業に要していた時間や手間を省略することができる。
【００４４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００４５】
【図１】本発明の実施例にかかる電気接続箱の分解可能取付構造の取付状態の斜視図である。
【図２】図２の断面図である。
【図３】取外工程を示す斜視図である。
【図４】図３の断面図である。
【図５】図３に続く取外工程を示す斜視図である。
【図６】図５の断面図である。
【図７】図５に続く取外工程を示す斜視図である。
【図８】図７の断面図である。
【図９】図７に続く取外工程を示す斜視図である。
【図１０】図９の断面図である。
【図１１】本発明の変形例である。
【図１２】従来例にかかる電気接続箱の分解可能取付構造の分解斜視図である。
【図１３】図１２の側断面図である。
【符号の説明】
【００４６】
１１  取付土台部
１２  電気接続箱
１３  ハーネス
１４  クリップ部材
１５  クリップ部材
１６  クリップ部材
２１  回路基板
２２  ケース本体
２３  開口部
２４  蓋体
２６  係止穴
２７  蓋側取付片
２８  本体側取付片
３１  爪穴部
３２  外方突起部
３３  ケース固定用爪片
３４  爪片退避用間隙部
３５  爪固定用突起部
４１  基板下部支持部
４２  基板固定用爪片
４３  爪片退避用空間
４４  爪ストッパ
【図１】
2008301602.tif 000003
【図２】
2008301602.tif 000004
【図３】
2008301602.tif 000005
【図４】
2008301602.tif 000006
【図５】
2008301602.tif 000007
【図６】
2008301602.tif 000008
【図７】
2008301602.tif 000009
【図８】
2008301602.tif 000010
【図９】
2008301602.tif 000011
【図１０】
2008301602.tif 000012
【図１１】
2008301602.tif 000013
【図１２】
2008301602.tif 000014
【図１３】
2008301602.tif 000015